(57)【要約】タッチフィルムインターフェースシステム、及び同タッチフィルムインターフェースシステムを製造、使用する方法である。当該タッチフィルムインターフェースシステムは、静電容量式タッチフィルム層を含み、そして従来のフードトレイの様式でユーザ座席に配置することができる。当該タッチフィルム層は、キーボードのようなユーザインターフェースシステムを提供することにより、コンピュータシステムまたは他の種類の情報システムとの対話を可能にする。有利な点として、当該タッチフィルム層は、種々の種類、配列、及び／又は言語に対応するユーザインターフェースシステムを含む非常に広範囲の多種多様なユーザインターフェースシステムをサポートすることができる。当該タッチフィルムインターフェースシステムは、例えば多種多様なユーザインターフェースシステムを提供し、かつ順次切り替えて使用することができる複数のタッチフィルム層を含むことができる。別の構成として、当該タッチフィルムインターフェースシステムは、選択されたユーザインターフェースシステムを当該タッチフィルム層に照らし出すプロジェクションシステムを含むことができる。
2013506593.tif 000002
【特許請求の範囲】
【請求項１】
コンピュータシステムと対話するシステムであって：
ユーザ座席と接続するベースと、
前記ベースに接続され、かつユーザインターフェースシステムを提供して前記コンピュータシステムと通信するタッチフィルムシステムと、
を備えるシステム。
【請求項２】
前記インターフェースシステムは、前記ユーザ座席の背もたれ、及び肘掛けのうちの一方に取り付けられるフードトレイとして提供され、
前記タッチフィルムシステムは、前記ベースに脱着可能に接続され、前記ベースは、前記ユーザ座席に脱着可能に接続され、
前記インターフェースシステムは、前記コンピュータシステムから供給されるコンテンツのビデオ部分を提示するビデオ提示システムと、そして前記コンテンツのオーディオ部分を提示するオーディオ提示システムと、を含み、前記ビデオ提示システム及び前記オーディオ提示システムが前記ユーザ座席に配置されることにより、ユーザはマルチタスクを、娯楽コンテンツを前記ビデオ提示システム及び前記オーディオ提示システムを介して視聴するとともに、前記コンピュータシステムと前記インターフェースシステムを介して対話することにより行なうことができることを特徴とする請求項１に記載のシステム。
【請求項３】
更に、前記コンピュータシステムと通信するトランスミッタシステムと、そして電力を前記トランスミッタシステムに供給する充電可能な電源と、を備え、前記充電可能な電源は、少なくとも１つのウルトラキャパシタを含み、前記インターフェースシステムは、展開位置と収納位置との間で移動させることができ、そして前記充電可能な電源は、前記ユーザ座席内に配置される充電システムによって、前記インターフェースシステムが前記収納位置に収納されているときに充電されることを特徴とする請求項１又は２に記載のシステム。
【請求項４】
更に、複数の静電容量式タッチフィルムシステムと、そして前記ベースと接続してフードトレイを形成する通常のフェースプレートと、を備え、前記静電容量式タッチフィルムシステム群は異なるユーザインターフェースシステムを提供し、かつ順次切り替えて前記ベースに接続され、
前記異なるユーザインターフェースシステムは、所定のキーボード配列及び所定のキーボード言語を有する複数のキーボードを含み、前記静電容量式タッチフィルムシステム群の各静電容量式タッチフィルムシステムは、コンフィギュレーション情報を前記コンピュータシステムに接続されるときに供給して、前記コンピュータシステムから供給される情報が、前記関連キーボードの前記所定のキーボード言語に一致する言語で提示されるように構成され、前記キーボード群のうちの少なくとも１つのキーボードは、複数の異なる言語をサポートし、かつ所望の言語を選択するための少なくとも１つの言語コントロールボタンを有し、
選択された静電容量式タッチフィルムシステムが前記ベースに接続されると、前記選択された静電容量式タッチフィルムシステムに、前記コンピュータシステムによって自動的に検出する操作、及び手動で選択する操作のうちの少なくとも１つの操作を施して、前記コンピュータシステムが情報を、前記選択された静電容量式タッチフィルムシステムの前記所定のキーボード言語に一致する言語で提示するようにし、
前記キーボード群は、複数の凸状キーの付いた触覚キーボード群を含み、そして
前記ベースは、未使用の静電容量式タッチフィルムシステム群を収納する収納箇所を提供し、かつ選択された静電容量式タッチフィルムシステムを前記収納箇所から取り出す機構を含むことを特徴とする請求項１から３のいずれかに記載のシステム。
【請求項５】
更に、メニューシステムを前記タッチフィルムシステムに照らし出すプロジェクションシステムを備え、前記コンピュータシステムは、投影される前記メニューシステムを前記タッチフィルムシステムの関連領域群に相互に関連付け、そして前記タッチフィルムシステムの選択領域を起動させて、関連するメニューオプションを表示させ、そして前記プロジェクションシステムは、前記ユーザ座席の上方、前記ユーザ座席の背もたれ、及び前記ベースのうちの少なくとも１箇所に配置されることを特徴とする請求項１から４のいずれかに記載のシステム。
【請求項６】
更に、周辺機器と接続する周辺機器ポートを備えることにより、前記周辺機器及び前記コンピュータシステムが前記インターフェースシステムを介して通信することができ、前記周辺機器ポートは、ユーザメモリデバイスと通信するように構成され、そして更に、セキュアデジタル（ＳＤ）メモリカードリーダ及びセキュアデジタル高容量（ＳＤＨＣ）メモリカードリーダから成るグループから選択されるメモリカードリーダを備え、前記メモリカードリーダは、選択コンテンツを前記メモリデバイスとの間で前記周辺機器ポートを介して授受することを特徴とする請求項１から５のいずれかに記載のシステム。
【請求項７】
前記ユーザ座席における前記コンピュータシステムとの対話は、前記タッチフィルムシステムによって提供される前記ユーザインターフェースシステムを介してのみ制御され、
前記タッチフィルムシステムは、ユーザコントロール命令を前記コンピュータシステムに供給する入力システムと、前記コンピュータシステムから供給されるコンテンツのビデオ部分を提示するインターフェースビデオシステムと、そして前記コンテンツのオーディオ部分を提示するインターフェースオーディオシステムと、を含み、前記入力システム及び前記インターフェースビデオシステムはそれぞれ、前記タッチフィルムシステムの入力領域及びビデオ提示領域に関連付けられ、プロジェクションシステムは、１つ以上のユーザコントロールの画像を有する視聴コントロールコンテンツを前記入力領域に照らし出し、そして前記コンピュータシステムは、投影される前記ユーザコントロール群を、前記入力領域内の関連領域群に相互に関連付けて前記入力システムを形成し、前記プロジェクションシステムは、前記ビデオ部分を含む視聴ビデオコンテンツを前記ビデオ提示領域に照らし出し、前記入力領域及び前記ビデオ提示領域は少なくとも部分的に重なり合うことを特徴とする請求項１から６のいずれかに記載のシステム。
【請求項８】
更に、前記ベースをポータブルメディアデバイスに接続する周辺機器を備え、前記ポータブルメディアデバイスは、データ入力システムと、ビデオディスプレイシステムと、そしてオーディオシステムと、を有し、前記ベースが前記ポータブルメディアデバイスに前記周辺機器ポートを介して接続されると、前記入力システムは、前記ポータブルメディアデバイスの前記データ入力システムを含むようになり、前記ビデオディスプレイシステムは、前記コンテンツの前記ビデオ部分を提示し、そして前記オーディオシステムは、前記コンテンツの前記オーディオ部分を提示することを特徴とする請求項７に記載のシステム。
【請求項９】
背もたれと、
肘掛けと、
コンピュータシステムと通信するインターフェースシステムであって、前記背もたれ、及び前記肘掛けのうちの少なくとも１つに接続され、かつ請求項１から８のいずれかに記載のシステムによって特徴付けられたインターフェースシステムと、
を備えたユーザ座席。
【請求項１０】
乗客輸送手段に搭載して取り付けられるために適するビークル情報システムであって：
コンピュータシステムと、
コンピュータシステムと通信する複数のインターフェースシステムであって、関連する乗客座席の背もたれ、及び肘掛けのうちの少なくとも１つに接続され、かつ請求項１から８のいずれかに記載のシステムによって特徴付けられた複数のインターフェースシステムと、
を備え、前記インターフェースシステムによって、前記乗客輸送手段に搭乗して旅行している乗客群は、前記コンピュータシステムを介して通信することができることを特徴とするビークル情報システム。
【請求項１１】
胴体と、
該胴体内に配置される複数の乗客座席と、
ビークル情報システムであって、前記胴体に接続され、かつ請求項１０に記載のシステムよって特徴付けられるビークル情報システムと、
を備えた航空機。
【請求項１２】
タッチフィルムインターフェースシステムを製造する方法であって：
ユーザ座席と接続するベースを提供するステップと、
タッチフィルムシステムを前記ベースに接続するステップであって、前記タッチフィルムシステムは、前記コンピュータシステムと通信するユーザインターフェースシステムを提供するものであるステップと、
を有してなる方法。
【発明の詳細な説明】
【技術分野】
【０００１】
本開示は概して、トラベル情報システムに関するものであり、特に、これに限られる訳ではないが、旅行体験を高めることができる航空機の機内娯楽システムに関するものである。
【背景技術】
【０００２】
自動車及び航空機のような乗客輸送手段は多くの場合、娯楽、情報コンテンツのような視聴コンテンツ、または他の視聴コンテンツに旅行しながらアクセスしたいという乗客の欲求を満たすビークル情報システム（ｖｅｈｉｃｌｅ  ｉｎｆｏｒｍａｔｉｏｎ  ｓｙｓｔｅｍｓ）を含む。
【０００３】
従来のビークル情報（または、娯楽）システムは通常、頭上客室ビデオシステム、または個別のコントロールが可能な座席内蔵ビデオシステムを含むことにより、視聴コンテンツを乗客が選択することができるようになっている。視聴コンテンツは、多種多様なコンテンツソースから抽出されるオーディオコンテンツ及びビデオコンテンツを含むことができる。動画及び音楽のような事前記録視聴コンテンツは、輸送手段に搭載して取り付けられるオーディオプレイヤー及びビデオプレイヤーのような内部コンテンツソースから供給することができる。従来のビークル情報システムは同様にして、輸送手段の外部にある、そして／または輸送手段から離れて位置する１つ以上のコンテンツプロバイダー（または、ソース）から配信される生中継テレビ番組及び／又はインターネットコンテンツのような視聴コンテンツを受信するアンテナシステムを含むことができる。
【０００４】
しかしながら、従来のビークル情報システムは、多くの不具合を有する。幾人かの乗客は、ビークル情報システムの操作に混乱して、視聴コンテンツを楽しむことが難しいことを認識してしまう。視聴コンテンツの選択は、例えばユーザコントロールの配置及び操作が複雑であることに起因して困難であることが判明している。従来のビークル情報システムは、乗客によるビークル情報システムとの対話を可能にする一体型ハンドセット（または、乗客コントロールユニット）を必要とする。これらのハンドセットは、チャネルコントロール、音量コントロール、メニューナビゲーション、及びテキスト入力のような基本的なシステムコントロール機能をサポートするが、コスト、重量、使い易さ、限られた機能のカスタマイズ化、快適性、及び複雑さを含む種々の面で、制約を生じる幾つかの不具合を呈する。従来のビークル情報システムは更に、乗客のハンドヘルドパーソナルメディアデバイスと通信するｌｅｆｔ  ａｕｄｉｏ（左オーディオ）、ｒｉｇｈｔ  ａｕｄｉｏ（右オーディオ）、ｖｉｄｅｏ（ビデオ）、ｄａｔａ（データ）、及び／又はｐｏｗｅｒ（電源）のような複数のインターフェース端子及び多数のケーブルを必要とし、そしてこれらのパーソナルメディアデバイスを介したリモートコントロールをサポートしていない。このようなシステムの不具合が、乗客が不平を旅行中に頻繁に漏らす原因となっている。
【０００５】
本出願は、２００９年１０月２日に出願された米国仮特許出願第６１／２７８，１７５号の優先権を主張する。当該米国仮特許出願の優先権は、明確に請求され、そして当該仮特許出願の開示内容は、本明細書において参照されることにより、当該仮特許出願の内容全体が本明細書に、全ての目的のために組み込まれる。
【先行技術文献】
【特許文献】
【０００６】
【特許文献１】米国仮特許出願第６１／２７８，１７５号
【発明の概要】
【発明が解決しようとする課題】
【０００７】
これまで説明してきたことを鑑みるに、ビークル情報システム及び方法を、多目的のユーザコントロールを直感的に操作することができるようにすることにより改善して、従来のビークル情報システムに関する前述の障害及び不具合を解決するように努める必要がある。
【課題を解決するための手段】
【０００８】
第１の態様において、本発明は、コンピュータシステムと対話するシステムであって：  ユーザ座席と接続するベースと、前記ベースに接続され、かつユーザインターフェースシステムを提供して前記コンピュータシステムと通信するタッチフィルムシステムと、を備える、システムを提供する。
【０００９】
第２の態様において、本発明は、背もたれと、肘掛けと、コンピュータシステムと通信するインターフェースシステムと、を備え、前記インターフェースシステムは、前記背もたれ、及び前記肘掛けのうちの少なくとも１つに接続され、かつ第１の態様に記載のシステムによって特徴付けられる、ユーザ座席を提供する。
【００１０】
第３の態様において、本発明は、乗客輸送手段に搭載して取り付けられるために適するビークル情報システムであって：コンピュータシステムと、コンピュータシステムと通信する複数のインターフェースシステムと、を備え、前記インターフェースシステム群は、関連する乗客座席の背もたれ、及び肘掛けのうちの少なくとも１つに接続され、かつ第１の態様に記載のシステムによって特徴付けられ、前記インターフェースシステム群によって、前記乗客輸送手段に搭乗して旅行している乗客群は、前記コンピュータシステムを介して通信することができる、ビークル情報システムを提供する。
【００１１】
第４の態様において、本発明は、胴体と、該胴体内に配置される複数の乗客座席と、ビークル情報システムと、を備え、前記ビークル情報システムは、前記胴体に接続され、かつ第３の態様に記載のシステムよって特徴付けられる、航空機を提供する。
【００１２】
第５の態様において、本発明は、タッチフィルムインターフェースシステムを製造する方法であって：ユーザ座席と接続するベースを提供するステップと、タッチフィルムシステムを前記ベースに接続するステップと、を含み、前記タッチフィルムシステムは、前記コンピュータシステムと通信するユーザインターフェースシステムを提供する、方法を提供する。
【図面の簡単な説明】
【００１３】
【図１Ａ】コンピュータシステムと対話するタッチフィルムインターフェースシステムの１つの実施形態を示す例示的な最上位図面であり、当該タッチフィルムインターフェースシステムはユーザ座席に取り付けられるフードトレイを介して提供される。
【図１Ｂ】図１Ａのタッチフィルムインターフェースシステムを示す例示的な最上位図面であり、当該フードトレイは収納位置になっている。
【図２】図１Ａ〜１Ｂのタッチフィルムインターフェースシステムの１つの実施形態を示す例示的な詳細図面であり、当該タッチフィルムインターフェースシステムは、ベースに脱着可能に接続することができるフェースプレートを含む。
【図３】図２のタッチフィルムインターフェースシステムの別の実施形態を示す例示的な詳細図面であり、複数のフェースプレートを順次切り替えてベースに接続することができる。
【図４】図１Ａ〜１Ｂのタッチフィルムインターフェースシステムの別の実施形態を示す例示的な詳細図面であり、当該タッチフィルムインターフェースシステムは、ベースに取り付けられる静電容量式センサシステムを含む。
【図５Ａ】図４のタッチフィルムインターフェースシステムの１つの実施形態を示す例示的な詳細図面であり、当該タッチフィルムインターフェースシステムは、ユーザ座席の上方の頭上領域に配置されるプロジェクションシステムを含む。
【図５Ｂ】図４のタッチフィルムインターフェースシステムの別の実施形態を示す例示的な詳細図面であり、当該プロジェクションシステムは、ユーザ座席用の照明システムと組み合わせて提供される。
【図５Ｃ】図４のタッチフィルムインターフェースシステムの更に別の実施形態を示す例示的な詳細図面であり、当該プロジェクションシステムは、ユーザ座席の背もたれに配置される。
【図５Ｄ】図４のタッチフィルムインターフェースシステムの更に別の実施形態を示す例示的な詳細図面であり、当該プロジェクションシステムは、ユーザ座席のフードトレイに接続される。
【図６Ａ】図４のタッチフィルムインターフェースシステムの更に別の実施形態を示す例示的な詳細図面であり、当該タッチフィルムインターフェースシステムは、少なくとも１つの通信ポートを含む。
【図６Ｂ】図６Ａのタッチフィルムインターフェースシステムの別の実施形態を示す例示的な詳細図面であり、当該通信ポートは周辺機器ポートを含む。
【図７】図６Ｂのタッチフィルムインターフェースシステムの別の実施形態を示す例示的な詳細図面であり、当該タッチフィルムインターフェースシステムはメモリカードリーダを含む。
【図８Ａ】図７のタッチフィルムインターフェースシステムを製造する方法の１つの実施形態を示す例示的な詳細図面である。
【図８Ｂ】図７のタッチフィルムインターフェースシステムを製造する方法の１つの実施形態を示す例示的な詳細図面である。
【図８Ｃ】図７のタッチフィルムインターフェースシステムを製造する方法の１つの実施形態を示す例示的な詳細図面である。
【図８Ｄ】図７のタッチフィルムインターフェースシステムを製造する方法の１つの実施形態を示す例示的な詳細図面である。
【図８Ｅ】図７のタッチフィルムインターフェースシステムを製造する方法の１つの実施形態を示す例示的な詳細図面である。
【図８Ｆ】図７のタッチフィルムインターフェースシステムを製造する方法の１つの実施形態を示す例示的な詳細図面である。
【図８Ｇ】図７のタッチフィルムインターフェースシステムを製造する方法の１つの実施形態を示す例示的な詳細図面である。
【図８Ｈ】図７のタッチフィルムインターフェースシステムを製造する方法の１つの実施形態を示す例示的な詳細図面である。
【図９】情報システムの１つの実施形態を示す例示的な詳細図面であり、図１または図４のタッチフィルムインターフェースシステムをビデオ提示システム及び／又はオーディオ提示システムと連動させて使用することにより、当該コンピュータシステムと対話する。
【図１０Ａ】図９の情報システムの別の実施形態を示す例示的な詳細図面であり、当該コンピュータシステムとの対話は、当該タッチフィルムインターフェースシステムを介してのみ行なわれる。
【図１０Ｂ】図１０Ａのタッチフィルムインターフェースシステムの１つの実施形態を示す例示的な詳細図面であり、当該タッチフィルムインターフェースシステムは、入力領域及びビデオ提示領域を含む。
【図１１】図１０Ａの情報システムの別の実施形態を示す例示的な詳細図面であり、当該タッチフィルムインターフェースシステムをパーソナルメヂィアデバイスに接続することにより、当該コンピュータシステムとの対話を容易にすることができる。
【図１２Ａ】図１Ａ〜１Ｂのタッチフィルムインターフェースシステムの１つの実施形態を示す例示的な詳細図面であり、当該フェースプレートは、英語キーボードを搭載している。
【図１２Ｂ】図１Ａ〜１Ｂのタッチフィルムインターフェースシステムの別の実施形態を示す例示的な詳細図面であり、当該フェースプレートは、アラビア語キーボードを搭載している。
【図１２Ｃ】図１Ａ〜１Ｂのタッチフィルムインターフェースシステムの更に別の実施形態を示す例示的な詳細図面であり、当該フェースプレートは、複数の言語をサポートするキーボードを搭載している。
【００１４】
これらの図は寸法通りには描かれておらず、そして同様の構造または機能の構成要素群は、図示をこれらの図全体を通じて行なうために、同様の参照番号によって総称されていることに留意されたい。また、これらの図は、好適な実施形態についての説明を容易にするためにのみ用いられることに留意されたい。これらの図は、記載の実施形態の全ての形態を示している訳ではなく、かつ本開示の範囲を限定するものでもない。
【発明を実施するための形態】
【００１５】
現在利用可能なビークル情報システム（ｖｅｈｉｃｌｅ  ｉｎｆｏｒｍａｔｉｏｎ  ｓｙｓｔｅｍ）では、乗客が、高価であり、重く、使用が難しく、かつカスタマイズすることができない一体型ハンドセットを使用する必要があるので、乗客によるタッチフードフィルムトレイ及びテーブルを介した対話をサポートするような情報システムは、望ましいことが判明しており、そして自動車、航空機、及び他の種類の輸送手段に搭載して旅行中に使用されるビークル情報システムのような広範囲のシステムアプリケーションのベースとなり得る。この結果は、本明細書において開示される１つの実施形態に従って、図１Ａ〜図１Ｂに示すタッチフィルムインターフェースシステム（ｔｏｕｃｈ  ｆｉｌｍ  ｉｎｔｅｒｆａｃｅ  ｓｙｓｔｅｍ）６００により達成することができる。
【００１６】
図１Ａ〜図１Ｂを参照するに、タッチフィルムインターフェースシステム６００は、ユーザ座席３８２の背もたれ３８６に取り付けられるフードトレイ６０５を介して提供されるものとして示されている。フードトレイ６０５は、いずれかの従来方法で提供することができ、そして好ましくは、背もたれ３８６に、例えば蝶番６９０を介して調整可能に接続される。これにより、フードトレイ６０５は、図１Ａに示す展開位置と図１Ｂに示す収納位置との間を移動することができる。ユーザ座席３８２は、図１Ｂでは、フードトレイ６０５を収納位置に固く固定するトレイラッチアセンブリ（ｔｒａｙ  ｌａｔｃｈ  ａｓｓｅｍｂｌｙ）６０７を含むものとして示されている。本明細書において背もたれ３８６に取り付けられるものとして例示のためにのみ示し、そして説明しているが、タッチフィルムインターフェースシステム６００は、ユーザ座席３８２の肘掛け３８８のような、いずれかの適切な領域に配置することができる。
【００１７】
タッチフィルムインターフェースシステム６００によってユーザは、コンピュータシステム３１０と対話することができるので有利である。必要に応じて、ユーザ座席３８２は同様にして、背もたれディスプレイシステムのようなビデオ提示システム３６２（図９に示す）、及び／又はオーディオ提示システム３６４（図９に示す）を含むことにより、コンピュータシステム３１０とのユーザによる対話を容易にすることができる。ビデオ提示システム３６２及びオーディオ提示システム３６４はそれぞれ、コンピュータシステム３１０から従来の方法で供給される視聴コンテンツ２１０または他の情報のビデオ部分及びオーディオ部分を提示することができる。コンピュータシステム３１０は、スタンドアローン型コンピュータシステムを含む従来のコンピュータシステムとして、そして／または情報システム１００の１つの構成要素として提供することができる。
【００１８】
１つの実施形態では、コンピュータシステム３１０は、カリフォルニア州レイクフォレスト市にあるパナソニックアビオニクスコーポレーション（以前の松下アビオニクスシステムズコーポレーションとして知られる）が製造するＳｅｒｉｅｓ  ２０００、３０００、  ｅＦＸ、及び／又はｅＸ２機内娯楽システムのような従来の航空機乗客機内娯楽システムのようなビークル情報システムに接続されるサーバシステムを備えることができる。別の表現をすると、ユーザ座席３８２は、乗客によって旅行中に利用される非常に多種多様な乗客輸送手段に搭載して取り付けられるように構成することができる。乗客輸送手段の例示的な種類として、これらには限定されないが、自動車、航空機、バス（ｂｕｓ）、レクリエーショナルビークル、客船、またはフェリー、及び／又は旅客列車、または他の種類の乗客輸送手段を挙げることができる。
【００１９】
タッチフィルムインターフェースシステム６００の１つの好適な実施形態を図２に示す。タッチフィルムインターフェースシステム６００は、タッチフィルムシステム（または、フェースプレート）６１０及びベース６８０を含むものとして示されている。フェースプレート６１０は、静電容量方式タッチフィルム材料のようなタッチフィルム材料により形成され、そしてキーボード６１２のようなユーザインターフェースシステムを提供する。キーボード６１２は、コンピュータキーボード及び／又はピアノキーボードのようないずれかの従来の種類のキーボードを備えることができ、そして複数のキー６１４を含む。
【００２０】
必要に応じて、これらのキー６１４は、地域固有のいずれかの所望のキー配列になるように設けることができる。例えば、コンピュータキーボードを備える場合、キーボード６１２は、従来の英語キーボード６１２Ａ（図１２Ａに示す）、従来のアラビア語キーボード６１２Ｂ（図１２Ｂに示す）、及び／又は他のいずれかの選択言語のキーボードとすることができる。別の構成として、そして／または更に、キーボード６１２は、複数の異なる言語をサポートするように構成することができる。図１２Ｃは、キーボード６１２Ｃを示しており、キーボード言語は、複数の言語コントロールボタン６１８を介して選択可能に制御することができる。各言語コントロールボタン６１８は、異なる言語に関連付けられ、そして作動すると、各言語コントロールボタン６１８によって、キーボード６１２Ｃを、選択言語をサポートするように適合させることができる。別の表現をすると、これらの言語コントロールボタン６１８によってキーボード６１２Ｃで、選択言語に一致する言語文字の付いたキー配列キーボードキー６１４を表示することができる。
【００２１】
図１２Ｃに示すように、言語コントロールボタン６１８Ａ〜６１８Ｄは、英語、日本語、中国語、及びアラビア語にそれぞれ関連付けられる従来のキーボード配列に関連付けることができる。１つの実施形態では、キーボード６１２は、これらのキー６１４が隆起し、そして「クリック可能」になっているので、触感を与えることができる。キーボード６１２を備えるものとして例示のためにのみ示され、そして説明されているが、フェースプレート６１０により可能になるユーザインターフェースシステムは、キーパッド、ゲームパッド、及び／又はポインティングデバイス（すなわち、マウス、トラックボール、またはスタイラス）のようないずれかの適切な数の従来のユーザインターフェース構成要素を含むことができる。
【００２２】
図２を参照するに、ベース６８０の上に置くと、フェースプレート６１０をベース６８０によって自動的に検出することができる、そして／またはフェースプレート６１０は、ユーザが手動で選択することができる。タッチフィルムインターフェースシステム６００は、フェースプレート６１０を識別することができ、そしてコンフィギュレーション情報をコンピュータシステム３１０（図１Ａに示す）に供給することができる。コンピュータシステム３１０はこれにより、タッチフィルムインターフェースシステム６００と通信するように構成することができる。１つの実施形態では、当該コンフィギュレーション情報は、地域固有情報を含むことにより、ビデオ提示システム３６２（図９に示す）を介して提示されるテキスト情報、及び／又はオーディオ提示システム３６４（図９に示す）を介して提示される可聴情報をフェースプレート６１０に関連付けられた言語に一致する言語で提示することができる。
【００２３】
図３を簡単に参照するに、タッチフィルムインターフェースシステム６００は、複数のフェースプレート６１０を含むことができるので有利である。各フェースプレート６１０は、異なる種類のキーボード６１２（図２に示す）を搭載し、そして順次切り替えてベース６８０（図２に示す）に接続することができる。タッチフィルムインターフェースシステム６００はこれにより、非常に広範囲のキーボード種類、キーボード配列、及び／又はキーボード言語を容易にサポートすることができる。更に、そして／または別の構成として、タッチフィルムインターフェースシステム６００は、通常のフェースプレート６１０を含むことができる。通常のフェースプレート６１０は、キー６１４（図２に示す）を全く含まないようにすることができ、そして食事中の使用に適するようにすることができる。別の表現をすると、通常のフェースプレート６１０によってフードトレイ６０５を食事用トレイとして使用することができる。これにより、食事の用意をする場合に、ユーザは、キーボード６１２の付いた選択フェースプレート６１０をベース６８０から取り除き、そして通常のフェースプレート６１０をベース６８０の上に載せることができる。食事の後、通常のフェースプレート６１０をベース６８０から取り除き、そして選択フェースプレート６１０をベース６８０の上に再び載せることができる。
【００２４】
これらのフェースプレート６１０は、いずれかの従来の方法で収納する、そして／または分散して収納することができる。例えば、未使用のフェースプレート６１０は、ユーザ座席３８２にある書籍ポケットのような収納箇所３８９に収納することができる。別の構成として、そして／または更に、ベース６８０は、未使用のフェースプレート６１０を収納する箇所（図示せず）、及び／又は選択フェースプレート６１０を当該箇所から取り出す機構（図示せず）を含むことができる。ユーザ座席３８２が乗客輸送手段に搭載して取り付けられる場合、未使用のフェースプレート６１０は、乗客輸送手段に搭載して収納しておくことができ、そして当該輸送手段の乗員のメンバーがフェースプレート６１０を乗客に必要に応じて配ることができる。
【００２５】
図２を参照するに、ベース６８０は、トランスミッタシステム６８２を含むものとして示されている。タッチフィルムインターフェースシステム６００及びコンピュータシステム３１０は、例えばイーサネット（登録商標）プロトコル、ユニバーサルシリアルバス（ＵＳＢ）プロトコル、または他のいずれかの従来の有線プロトコルを介して有線方式で通信するように構成することができるが、タッチフィルムインターフェースシステム６００は、コンピュータシステム３１０との無線通信をサポートすることが好ましい。例示的な無線通信プロトコルとして、ＺｉｇＢｅｅ（ジグビー）プロトコル、ＷｉｒｅｌｅｓｓＨＡＲＴ（ワイヤレスハート）プロトコル、及び／又はＭｉＷｉプロトコルを挙げることができ、これらのプロトコルは、米国電気電子技術者協会により策定されたＩＥＥＥ８０２．１５．４−２００６標準規格（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ（ＩＥＥＥ）Ｓｔａｎｄａｒｄ  ８０２．１５．４−２００６）に基づいている。無線通信を利用することにより、有線通信に関連する断線のような問題を回避することができ、そして／またはユーザは、タッチフィルムインターフェースシステム６００をユーザ座席３８２から容易に取り出すことができるので有利である（図１Ａ〜１Ｂに示す）。タッチフィルムインターフェースシステム６００はこれにより、必要に応じてユーザの膝に載せて、タイプ入力をより一層快適に行なうことができる。
【００２６】
トランスミッタシステム６８２には、いずれかの従来の方法で給電することができる。トランスミッタシステム６８２に対する給電は、例えばタッチフィルムインターフェースシステム６００及び／又はユーザ座席３８２の外部の電源から行なうことができる。図２に示すように、タッチフィルムインターフェースシステム６００は別の構成として、ベース６８０内に配置される標準バッテリ及び／又は充電式バッテリのような内部電源６８４を含むことができる。１つの実施形態では、内部電源６８４は、１つ以上のウルトラキャパシタを備える。有利な点として、ウルトラキャパシタは、グリーンエネルギー供給源であり、瞬時に充電することができ、決して摩耗故障を引き起こすことがないので、取り替える必要が全くない。
【００２７】
電源６８４は好ましくは、タッチフィルムインターフェースシステム６００が使用されていないときに充電することができる。例えば、ユーザ座席３８２は、電源６８４を充電する充電システム（図示せず）を含むことができる。タッチフィルムインターフェースシステム６００の電源６８４をこれにより、フードトレイ６０５が図１Ｂに示すように、収納位置に配置されているときに充電することができる。１つの実施形態では、当該充電システムは、ユーザ座席３８２のトレイラッチアセンブリ６０７に内蔵させることができる。
【００２８】
タッチフィルムインターフェースシステム６００の別の実施形態を図４に示す。図４に示すように、ベース６８０は、図２を参照しながら上に説明した方法で提供することができる。ベース６８０の上面のような少なくとも１つの選択面には、静電容量式センサシステム６１５のようなタッチフィルムシステム（または、タッチフィルム層）を設ける。当該静電容量式センサシステムは、ベース６８０にいずれかの従来の方法で配置することができる。静電容量式センサシステム６１５は、例えばベース６８０の上に形成する、接着させる、固着させる、またはそれ以外には、取り付けることができる。静電容量式センサシステム６１５には、いずれかの選択幾何学形状を必要に応じて付与することができるが、静電容量式センサシステム６１５は、平板状であるとして図示されている。
【００２９】
タッチフィルムインターフェースシステム６００は、図５Ａ〜５Ｄに示すように、ピコプロジェクションシステムのようなプロジェクションシステム７００と連動させて使用することができる。プロジェクションシステム７００は、メニューシステムまたは他のアプリケーションのような選択視聴コンテンツ２１０を、ベース６８０の静電容量式センサシステム６１５上に照らし出す。旅行環境では、タッチフィルムインターフェースシステム６００はこれにより、デジタル雑誌、書籍、カジュアルゲーム、ネットワーク接続カジュアルゲーム、フライト情報、音楽情報を提供し、写真編集及び映画鑑賞を可能にし、そしてもっと多くの機能を提供するために使用することができる。静電容量式センサシステム６１５を投影コンテンツ２１０に合わせて、コンピュータシステム３１０が投影コンテンツ２１０を静電容量式センサシステム６１５の関連領域群に相互に関連付けることができるようにする。
【００３０】
プロジェクションシステム７００が、例えばメニューシステムを投影している場合、コンピュータシステム３１０は、選択メニューオプションを、ユーザが静電容量式センサシステム６１５の該当する領域に触れる場合に応じて決定することができる。メニューを操作するために、ユーザは、所望の選択部分に触れることができる、そして／またはユーザの指をトレイに沿って移動させて、追加オプションを全てスクロールすることができる。メニュー項目に触れると、アプリケーションを開始させることができ、そして当該アプリケーションを、ユーザ座席３８２に配置されるタッチフィルムインターフェースシステム６００及び／又はビデオ提示システム３６２（図９に示す）及び／又はオーディオ提示システム３６４（図９に示す）を介して提示することができる。幾つかのアプリケーションは、両方のユーザが同じアプリケーションを開始させた状態であるマルチプレイヤーイベントに誘導される。
【００３１】
図２を参照しながらより詳細に上に説明した方法で、タッチフィルムインターフェースシステム６００は、キーボードインターフェース６１２（図２に示す）を提供することができる。キーボード６１２が投影されるので、キーボード６１２は、上に説明したように、幾つかの地域固有の方式で、かつ種々の形状（数字のみ、テキストのみなど）で提供することができる。タッチフィルムインターフェースシステム６００のキーボード構造によって、携帯型コンピュータまたはスマートモバイル機器のようなユーザのパーソナルメディアデバイスの仮想ドッキングが可能になるので有利である。例えば、当該パーソナルメディアデバイスは、タッチフィルムインターフェースシステム６００に有線及び／又は無線インターフェースを介して接続することができ、そして次に、キーボード及び座席内ビデオ提示システム３６２を使用してタッチフィルムインターフェースシステム６００と対話し、そしてデータをタッチフィルムインターフェースシステム６００上で操作している状態で、当該パーソナルメディアデバイスを見えない所に離して置くことができる。
【００３２】
プロジェクションシステム７００は、投影コンテンツ２１０を静電容量式センサシステム６１５上に投影することができる限り、静電容量式センサシステム６１５に対していずれの適切な場所にも配置することができる。例えば、図５Ａを参照するに、プロジェクションシステム７００は、ユーザ座席３８２よりも上方に配置されるものとして図示されている。投影コンテンツ２１０は、図５Ａに示すように、下に向かって静電容量式センサシステム６１５上に投影することができる。タッチフィルムインターフェースシステム６００が、例えば乗客輸送手段に搭載して取り付けられる場合、プロジェクションシステム７００は、客室内の天井のような輸送手段の頭上構造物３９２の内部に配置することができる。
【００３３】
必要に応じて、プロジェクションシステム７００は、１つ以上の他の情報システム構成要素に一体化することができる。図５Ｂは、例えばプロジェクションシステム７００を照明システム８１０に一体化することができる様子を示している。図示の実施形態では、プロジェクションシステム７００及び照明システム８１０が、プロジェクター／照明アセンブリ８００に一体化されている。
【００３４】
別の構成として、そして／または更に、プロジェクションシステム７００は、ユーザ座席３８２の適切な領域に配置することができる。プロジェクションシステム７００は、例えばユーザ座席３８２の背もたれ３８６に接続することができる。図５Ｃを参照するに、プロジェクションシステム７００は、トレイラッチアセンブリ６０７に一体化されているものとして示されている。投影コンテンツ２１０はこれにより、下に向かって静電容量式センサシステム６１５上に投影することができる。必要に応じて、プロジェクションシステム７００及びトレイラッチアセンブリ６０７をプロジェクター／トレイラッチアセンブリ８２０に一体化することができる。
【００３５】
プロジェクションシステム７００は同様にして、図５Ｄに示すように、ユーザ座席３８２のフードトレイ６０５に一体化することができる。１つの実施形態では、プロジェクションシステム７００は、ベース６８０（図４に示す）を介して提供することができる。プロジェクションシステム７００は、ベース６８０にいずれかの従来の方法で接続することができる。図５Ｄは、プロジェクションシステム７００をベース６８０に回転可能に接続して、プロジェクションシステム７００の位置決めを調整することができる様子を示している。別の表現をすると、プロジェクションシステム７００は、収納位置と、投影コンテンツ２１０を静電容量式センサシステム６１５上に投影することができる展開位置との間で調整することができる。有利な点として、プロジェクションシステム７００は、調整することにより、タッチフィルムインターフェースシステム６００が使用されていない場合、及び／又はフードトレイ６０５を収納位置に収納する必要がある場合に収納位置にすることができる。
【００３６】
必要に応じて、タッチフィルムインターフェースシステム６００は、図６Ａ〜６Ｂに示すように、１つ以上の任意の通信ポート６２０を含むことができる。１つの実施形態では、通信ポート６２０は、ヘッドホンペアと接続するオーディオポート（または、ジャック）３６４Ａを備えることができる。ユーザはこれにより、コンピュータシステム３１０（図１Ａに示す）から供給される可聴情報を聞き取ることができる。別の構成として、そして／または更に、通信ポート６２０は、タッチフィルムインターフェースシステム６００を従来の周辺機器（図示せず）に接続する周辺機器ポート３６８を含むことができる。当該周辺機器が、例えばフラッシュメモリデバイスを備えている場合、タッチフィルムインターフェースシステム６００は、コンテンツを当該フラッシュメモリデバイスとコンピュータシステム３１０との間で授受するフラッシュメモリリーダ／ライター（図示せず）を含むことができる。当該フラッシュメモリリーダによって、コンテンツをユーザ間で容易に共有することができる。
【００３７】
タッチフィルムインターフェースシステム６００は、動作状態において、ソーシャルメディア及び／又はネットワーキングのトレンドを、ユーザ群が、旅行体験を含むこれらのユーザの個人体験を、コンピュータシステム３１０を介して共有することができるようにすることにより、サポートすることができるので有利である。別の表現をすると、これらのユーザは、これらのユーザの個人写真、ノートを共有し、そして必要に応じて、静電容量式センサシステム６１５自体を介して生成されるイラストを共有することができる。同様に、タッチフィルムインターフェースシステム６００によってソーシャルコミュニケーション及びゲームが可能になる。例えば、１人のユーザがノートへの書き込みをタッチフィルムインターフェースシステム６００で行ない、仮想的に当該ノートをくしゃくしゃに丸めてボールにし、そして当該ボールをバットで打って別のユーザに渡すことができる。別の例がゲームであり、このゲームでは、隣接する２人のユーザが、互いにエアホッケーに興じることができ；一方のパドルが第１のタッチフィルムインターフェースシステム６００に位置し、そして他方のパドルが第２のタッチフィルムインターフェースシステム６００に位置する。パックが第１のタッチフィルムインターフェースシステム６００と第２のタッチフィルムインターフェースシステム６００との間で移動する。タッチフィルムインターフェースシステム６００は同様にして、イラストをタッチフィルムインターフェースシステム６００上に描き、次に当該イラストを他のユーザと共有する、そして／または当該イラストを対応ゲームにインポートするだけでなく、対話方式による内蔵情報システム１００（図５Ａ〜５Ｃに示す）にインポートして個人用イラストとする機能をサポートすることができる。
【００３８】
図１Ａ〜１Ｂを参照しながらより詳細に上に説明した方法で、タッチフィルムインターフェースシステム６００は、ユーザ座席３８２に配置されるビデオ提示システム３６２（図９に示す）及び／又はオーディオ提示システム３６４（図９に示す）と連動させて使用することができる。ユーザはこれにより、タッチフィルムインターフェースシステム６００を作動させて、映画または他のアプリケーションのような娯楽コンテンツをビデオ提示システム３６２（図９に示す）及び／又はオーディオ提示システム３６４（図９に示す）を介して視聴しながらコンピュータシステム３１０と対話することができる。これにより、タッチフィルムインターフェースシステム６００によってユーザは、マルチタスクを行なうことができる。必要に応じて、タッチフィルムインターフェースシステム６００を同様にして、娯楽コンテンツを、プライマリーディスプレイシステム及び／又は補助ディスプレイシステムとして、ビデオ提示システム３６２に提示するために利用することができる。
【００３９】
タッチフィルムインターフェースシステム６００の別の好適な実施形態を図７に示す。図７を参照するに、タッチフィルムインターフェースシステム６００は、タッチ操作可能な対話型機内フードトレイ６０５として提供することができる。タッチフィルムインターフェースシステム６００は、タッチ操作面６１０を含むものとして示されている。好適には、タッチ操作面６１０は、投影型静電容量式フィルムによって設けられ、この投影型静電容量式フィルムは、フードトレイ６０５の上面の裏側に接着されている。電子プリント回路基板５５０（図８Ｅに示す）は、フードトレイ６０５の内部に配置することにより、タッチ操作面６１０を制御することができる。セキュアデジタル（ＳＤ）及び／又はセキュアデジタル高容量（ＳＤＨＣ）メモリカードリーダ５３０（図８Ｃに示す）は、フードトレイ６０５の内部に配置することができる。図７に示すように、セキュアデジタル（ＳＤ）及び／又はセキュアデジタル高容量（ＳＤＨＣ）メモリカードリーダ５３０、または他の方式のポータブル固体メモリに、パーソナルメモリデバイスコネクタ３６８Ａを介してアクセスすることができ、このパーソナルメモリデバイスコネクタ３６８Ａは、フードトレイ６０５の選択辺縁に沿って設けられる。パーソナルメモリデバイスコネクタ３６８Ａによってユーザ群は、これらのユーザのＳＤカードをタッチフィルムインターフェースシステム６００のメモリカードリーダ５３０に接続することができ、そして写真をタッチフィルムインターフェースシステム６００で観賞することができる。これらの写真は、分類し、並べ、修正し、そしてフェースブックのようなソーシャルサイトに送信することができ、そして／または他のユーザと共有することができる。必要に応じて、これらの写真を、必要に応じて、２つ以上のタッチフィルムインターフェースシステム６００の表示領域いっぱいに引き伸ばすことができる。
【００４０】
図８Ａ〜８Ｈは、図７のタッチフィルムインターフェースシステム６００を製造する１つの方法９００を示している。図８Ａを参照するに、当該方法９００は、ステップ９１０から始まるものとして示されており、このステップ９１０では、タッチフィルムインターフェースシステム６００のベース６１０のシャーシ５１０を設ける。シャーシ５１０は、プラスチック及び／又は金属のようないずれかの適切な材料により形成することができ、そしてタッチフィルムインターフェースシステム６００のトランスミッタシステム６８２及び／又は内部電源６８４（図６Ｂに示す）のような内部構成要素を収容する内部溝５１２を画定することができる。シャーシ５１０は同様にして、パーソナルメモリデバイスコネクタ３６８Ａ（図７に示す）を収容するコネクタ開口５１４を形成することができる。
【００４１】
必要に応じて、図８Ｂに示すように、シャーシ５１０をステップ９２０で、取り付けブラケット５２０に接続することができる。取り付けブラケット５２０は、プラスチック及び／又は金属のようないずれかの適切な材料により形成することができ、そしてシャーシ５１０に、いずれかの従来の方法で接続することができる。図８Ｂは、シャーシ５１０及び取り付けブラケット５２０が、複数の締結部材５２２を介して接続されるものとして示している。取り付けブラケット５２０によって、タッチフィルムインターフェースシステム６００をユーザ座席３８２（図５Ａ〜５Ｄ）に取り付けることができ、そして取り付けブラケット５２０は好ましくは、１つ以上の開口５２４を形成して、タッチフィルムインターフェースシステム６００の取り付けを容易にしている。これらの開口５２４は、ユーザ座席３８２に合った、事前に選択されたいずれかの開口配置パターンとなるように設けることができる。
【００４２】
メモリカードリーダ５３０を取り付ける様子を図８Ｃのステップ９３０に示す。図８Ｃに示すように、メモリカードリーダ５３０は、シャーシ５１０の内部溝５１２に配置することができる。内部溝５１２は、メモリカードリーダ５３０を収容するように形成されるリーダ溝領域５１２Ａを画定する。リーダ溝領域５１２Ａは、取り付けたメモリカードリーダ５３０が、シャーシ５１０内で移動するのを阻止するように形成されることが好ましい。必要に応じて、メモリカードリーダ５３０を所定の位置に、例えば接着剤またはポッティング材料によって取り付けることができる。メモリカードリーダ５３０は、パーソナルメモリデバイスコネクタ３６８Ａ及び任意の通信ケーブルアセンブリ５３２を含むことができる。メモリカードリーダ５３０が正しく取り付けられると、パーソナルメモリデバイスコネクタ３６８Ａをシャーシ５１０のコネクタ開口５１４に差し込むことができるのに対し、通信ケーブルアセンブリ５３２は内部溝５１２に収納することができる。図８Ｄは、光パイプ５４０をステップ９４０で、コネクタ開口５１４内のパーソナルメモリデバイスコネクタ３６８Ａに隣接して取り付けることができる様子を示している。
【００４３】
図８Ｅを参照するに、タッチ操作フィルム面６１０をステップ９５０で、プリント回路基板（ＰＣＢ）５５０に接続することができる。タッチ操作フィルム面６１０及びプリント回路基板５５０は、いずれかの従来の方法で接続することができる。タッチ操作フィルム面６１０は、例えばプリント回路基板５５０が提供する１つ以上のコネクタ領域５５２に嵌合する１つ以上のエッジコネクタ６１６を含むことができる。タッチ操作フィルム面６１０及びプリント回路基板５５０をシャーシ５１０に接続することにより、プリント回路基板５５０を内部溝５１２のＰＣＢ溝領域５１２Ｂに配置することができる。プリント回路基板５５０はシャーシ５１０に、いずれかの従来の方法で接続することができる。図８Ｅは、プリント回路基板５５０及びシャーシ５１０が、複数の締結部材５５４を介して接続されるものとして示している。タッチ操作フィルム面６１０は、シャーシ５１０に圧力感応接着剤により接続されることが好ましい。必要に応じて、図８Ｆに示すように、可撓性プリント回路（ＦＰＣ）支持板５６０をステップ９６０で、シャーシ５１０に複数の締結部材５６２を介して接続することができ、そして／または図８Ｇに示すように、インターフェースカバー５７０をステップ９７０で、シャーシ５１０に圧力感応接着剤により接続することができる。結果として得られるタッチフィルムインターフェースシステム６００をステップ９８０として図８Ｈに示す。
【００４４】
上に説明した方法で、タッチフィルムインターフェースシステム６００を、ビデオ提示システム３６２及び／又はオーディオ提示システム３６４と連動させて使用することにより、コンピュータシステム３１０と対話することができる。図９を参照するに、情報システム１００が図示されており、当該情報システム１００は、タッチフィルムインターフェースシステム６００、ビデオ提示システム３６２、及びオーディオ提示システム３６４と通信するコンピュータシステム３１０を含む。タッチフィルムインターフェースシステム６００、ビデオ提示システム３６２、及びオーディオ提示システム３６４は、ユーザ座席３８２に配置されることが好ましい。ビデオ提示システム３６２は、例えば背もたれディスプレイシステム及び／又は頭上ディスプレイシステムとして提供することができるのに対し、オーディオ提示システム３６４は、ユーザ座席３８２の肘掛け３８８に配置されるスピーカシステム及び／又はオーディオコネクタを含むことができる。
【００４５】
ユーザはこれにより、タッチフィルムインターフェースシステム６００を、コントロールコマンド、データのような情報、または他の情報をコンピュータシステム３１０に供給する入力デバイスとして用いることができ、そしてコンピュータシステム３１０からの視聴コンテンツ２１０または他の情報のような応答をビデオ提示システム３６２及び／又はオーディオ提示システム３６４を介して視聴することができる。１つの実施形態では、タッチフィルムインターフェースシステム６００は、キーボードまたはマウスのようなコンピュータ入力デバイスとして機能することができるのに対し、ビデオ提示システム３６２及び／又はオーディオ提示システム３６４は、従来のコンピュータ出力デバイスとして提供することができる。タッチフィルムインターフェースシステム６００は同様にして、多種多様に取り揃えたユーザインターフェースシステムを提供することにより、コンピュータシステム３１０との対話を、より詳細に上に説明した方法で行なうことができる。別の表現をすると、タッチフィルムインターフェースシステム６００によって提供されるユーザインターフェースシステムは、必要に応じて完全にカスタマイズすることができる、そして／または再構成することができる。
【００４６】
別の構成として、そして／または更に、情報システム１００は、タッチフィルムインターフェースシステム６００を介してのみ行なわれるコンピュータシステム３１０との対話をサポートすることができるので有利である。別の表現をすると、ユーザ座席３８２は、コンピュータシステム３１０と対話するタッチフィルムインターフェースシステム６００のみを含んでいる。タッチフィルムインターフェースシステム６００はこれにより、図１０Ａに示すように、インターフェースビデオシステム６４０及び／又はインターフェースオーディオシステム６５０を含むことができる。インターフェースビデオシステム６４０によって、タッチフィルムインターフェースシステム６００が、コンピュータシステム３１０から供給される視聴コンテンツ２１０または他の情報のビデオ部分を、ビデオ提示システム３６２（図９に示す）を参照しながら上に説明した方法で提示することができるのに対し、インターフェースオーディオシステム６５０によって、タッチフィルムインターフェースシステム６００は、コンピュータシステム３１０から供給される視聴コンテンツ２１０または他の情報のオーディオ部分を、オーディオ提示システム３６４（図９に示す）を参照しながら上に説明した方法で提示することができる。インターフェースビデオシステム６４０は、例えばいずれかの従来の種類のタッチスクリーンディスプレイシステムを備えることができる。１つの実施形態では、これにより、別体のビデオ提示システム３６２及び／又はオーディオ提示システム３６４をユーザ座席３８２に取り付けなくても済む。
【００４７】
タッチフィルムインターフェースシステム６００の１つの例示的な実施形態を図１０Ｂに示す。図１０Ｂを参照するに、タッチフィルムインターフェースシステム６００の選択面は、入力領域６６５及びビデオ提示領域６４５を含むものとして図示されている。別の表現をすると、タッチフィルムインターフェースシステム６００は、入力システム６６０を、入力領域６６５を介して、そしてインターフェースビデオシステム６４０を、ビデオ提示領域６４５を介して提供する。入力システム６６０の入力領域６６５は、静電容量式センサシステム６１５のようなタッチフィルムシステム（または、タッチフィルム層）の選択領域を含み、コントロールコマンド、データのような情報、または他の情報を入力して、コンピュータシステム３１０に送信することができる。ビデオ提示領域６４５は同様にして、タッチフィルムインターフェースシステム６００の選択領域を含むことができる。必要に応じて、ビデオ提示領域６４５は、静電容量式センサシステム６１５の一部を含むことができる。
【００４８】
図５Ａ〜５Ｄを参照しながら上に説明した態様で、タッチフィルムインターフェースシステム６００は、選択視聴コンテンツ２１０をベース６８０に照らし出すプロジェクションシステム７００を含むことができる。図１０Ｂは、プロジェクションシステム７００が、視聴コントロールコンテンツ２１６を入力領域６６５に照らし出すことができる様子を示している。視聴コントロールコンテンツ２１６は、メニューシステム及び／又はキーボードのような１つ以上のユーザコントロールの画像を含むことができる。コンピュータシステム３１０は、投影される視聴コントロールコンテンツ２１６を、入力領域６６５内の関連領域群に相互に関連付けることにより、入力システム６６０を上に説明した方法で形成することができる。ユーザはこれにより、コンピュータシステム３１０と入力システム６６０を介して対話することができる。
【００４９】
同様にして、プロジェクションシステム７００は、ビデオ視聴コンテンツ２１４を、ビデオ提示領域６４５に照らし出すことができる。ビデオ視聴コンテンツ２１４は、コンピュータシステム３１０から供給される視聴コンテンツ２１０または他の情報のビデオ部分を含むことができる。ビデオ提示領域６４５は、プロジェクションシステム７００によって投影されるビデオ視聴コンテンツ２１４を、ビデオ提示システム３６２（図９に示す）がビデオコンテンツを提示する方法で提示することができるので有利である。従って、入力領域６６５及びビデオ提示領域６４５によってユーザは、コンピュータシステム３１０とタッチフィルムインターフェースシステム６００を介してのみ通信を行なうことができる。別々の領域を含むものとして図を分かり易くするためにのみ示され、そして説明されているが、入力領域６６５及びビデオ提示領域６４５は、必要に応じて、少なくとも部分的に重なり合うようにすることができる。１つの実施形態では、入力領域６６５及びビデオ提示領域６４５は、同じ領域を含む。
【００５０】
図１０Ｂは更に、タッチフィルムインターフェースシステム６００が、タッチフィルムインターフェースシステム６００に、コンピュータシステム３１０から供給される視聴コンテンツ２１０または他の情報のオーディオ部分を提示させることができる任意のインターフェースオーディオシステム６５０を含むことができる様子を示している。インターフェースオーディオシステム６５０は、１つ以上のスピーカシステム（図示せず）を含むように、いずれかの従来の方法で提供することができる。図１０Ｂに示すように、インターフェースオーディオシステム６５０は、１対のヘッドホンと接続する少なくとも１つのオーディオポート（または、ジャック）３６４Ａを含むことができる。インターフェースオーディオシステム６５０は同様にして、タッチフィルムインターフェースシステム６００を介してのみ行なわれるコンピュータシステム３１０との通信をサポートする。
【００５１】
タッチフィルムインターフェースシステム６００の別の例示的な実施形態を図１１に示す。図６Ｂを参照しながらより詳細に上に説明した態様で、タッチフィルムインターフェースシステム６００は、タッチフィルムインターフェースシステム６００を、ポータブルメディアデバイス２００のような従来の周辺機器に接続する周辺機器ポート３６８を含むことができる。周辺機器ポート３６８は、いずれかの従来の方法で提供することができ、そしてパーソナルメディアデバイス群２００のうち、多種多様な通信規約（または、プロトコル）を有するように選択されるメディアデバイスとの従来の有線通信及び／又は無線通信をサポートするように適合させることができる。必要に応じて、周辺機器ポート３６８は、１つ以上の通信ポート（または、コネクタ）を含むことができ、各通信ポートは、選択された接続規約をサポートする。
【００５２】
周辺機器ポート３６８の例示的な通信ポートは、ユニバーサルシリアルバス（ＵＳＢ）対応通信ポート及び／又はドイツ規格協会（ＤＩＮ）規格に準拠したコネクタを含むことにより、ｉＰｏｄ（登録商標）（ｉＰａｄ（登録商標）またはｉＰｈｏｎｅ（登録商標））デジタル電子メディアデバイスと通信することができ、この通信する方法は、同時係属中であり、２００８年９月１５日に出願された「ＳＹＳＴＥＭ  ＡＮＤ  ＭＥＴＨＯＤ  ＦＯＲ  ＩＮＴＥＲＦＡＣＩＮＧ  Ａ  ＰＯＲＴＡＢＬＥ  ＭＥＤＩＡ  ＤＥＶＩＣＥ  ＷＩＴＨ  Ａ  ＶＥＨＩＣＬＥ  ＩＮＦＯＲＭＡＴＩＯＮ  ＳＹＳＴＥＭ（ポータブルメディアデバイスとのインターフェースをビークル情報システムで実現するシステム及び方法）」と題する米国特許出願第１２／２１０，６２４号；２００８年９月１５日に出願された「ＭＥＤＩＡ  ＤＥＶＩＣＥ  ＩＮＴＥＲＦＡＣＥ  ＳＹＳＴＥＭ  ＡＮＤ  ＭＥＴＨＯＤ  ＦＯＲ  ＶＥＨＩＣＬＥ  ＩＮＦＯＲＭＡＴＩＯＮ  ＳＹＳＴＥＭＳ（ビークル情報システムに関するメディアデバイスインターフェースシステム及び方法）」と題する米国特許出願第１２／２１０，６３６号；及び２００８年９月１５日に出願された「ＭＥＤＩＡ  ＤＥＶＩＣＥ  ＩＮＴＥＲＦＡＣＥ  ＳＹＳＴＥＭ  ＡＮＤ  ＭＥＴＨＯＤ  ＦＯＲ  ＶＥＨＩＣＬＥ  ＩＮＦＯＲＭＡＴＩＯＮ  ＳＹＳＴＥＭＳ（ビークル情報システムに関するメディアデバイスインターフェースシステム及び方法）」と題する米国特許出願第１２／２１０，６５２号の各明細書に説明されており、これらの米国特許出願は、本出願の譲受人に譲渡され、そしてこれらの米国特許出願のそれぞれの開示内容は、本明細書において参照されることにより、これらの米国特許出願の開示内容の全てが本明細書に、全ての目的のために組み込まれる。
【００５３】
パーソナルメディアデバイス２００は、ビデオディスプレイシステム２４０及び／又はオーディオシステム２５０を含むことができ、そしてラップトップコンピュータ、パームトップコンピュータ、携帯情報端末（ＰＤＡ）、携帯電話機、「ｉＰｏｄ」（「ｉＰａｄ」または「ｉＰｈｏｎｅ」）デジタル電子メディアデバイス、及び／又はＭＰＥＧ  Ａｕｄｉｏ  Ｌａｙｅｒ  ３（ＭＰＥＧオーディオレイヤ３：ＭＰ３）デバイスのようなハンドヘルドデバイスとして提供することができる。例示のパーソナルメディアデバイス２００は、同時係属中であり、２００４年２月４日に出願された「ＳＹＳＴＥＭ  ＡＮＤ  ＭＥＴＨＯＤ  ＦＯＲ  ＤＯＷＮＬＯＡＤＩＮＧ  ＦＩＬＥＳ（ファイルをダウンロードするシステム及び方法）」と題する米国特許出願第１０／７７２，５６５号；２００５年６月１５日に出願された「ＰＯＲＴＡＢＬＥ  ＭＥＤＩＡ  ＤＥＶＩＣＥ  ＡＮＤ  ＭＥＴＨＯＤ  ＦＯＲ  ＰＲＥＳＥＮＴＩＮＧ  ＶＩＥＷＩＮＧ  ＣＯＮＴＥＮＴ  ＤＵＲＩＮＧ  ＴＲＡＶＥＬ（視聴コンテンツを旅行中に提示するポータブルメディアデバイス及び方法）」と題する米国特許出願第１１／１５４，７４９号；２００５年１１月７日に出願された「ＳＹＳＴＥＭ  ＡＮＤ  ＭＥＴＨＯＤ  ＦＯＲ  ＲＥＣＥＩＶＩＮＧ  ＢＲＯＡＤＣＡＳＴ  ＣＯＮＴＥＮＴ  ＯＮ  Ａ  ＭＯＢＩＬＥ  ＰＬＡＴＦＯＲＭ  ＤＵＲＩＮＧ  ＩＮＴＥＲＮＡＴＩＯＮＡＬ  ＴＲＡＶＥＬ（放送コンテンツを移動プラットフォームで国際旅行中に受信するシステム及び方法）」と題する米国特許出願第１１／２６９，３７８号；２００８年９月１５日に出願された「ＳＹＳＴＥＭ  ＡＮＤ  ＭＥＴＨＯＤ  ＦＯＲ  ＩＮＴＥＲＦＡＣＩＮＧ  Ａ  ＰＯＲＴＡＢＬＥ  ＭＥＤＩＡ  ＤＥＶＩＣＥ  ＷＩＴＨ  Ａ  ＶＥＨＩＣＬＥ  ＩＮＦＯＲＭＡＴＩＯＮ  ＳＹＳＴＥＭ（ポータブルメディアデバイスとのインターフェースをビークル情報システムで実現するシステム及び方法）」と題する米国特許出願第１２／２１０，６２４号；２００８年９月１５日に出願された「ＭＥＤＩＡ  ＤＥＶＩＣＥ  ＩＮＴＥＲＦＡＣＥ  ＳＹＳＴＥＭ  ＡＮＤ  ＭＥＴＨＯＤ  ＦＯＲ  ＶＥＨＩＣＬＥ  ＩＮＦＯＲＭＡＴＩＯＮ  ＳＹＳＴＥＭＳ（ビークル情報システムに関するメディアデバイスインターフェースシステム及び方法）」と題する米国特許出願第１２／２１０，６３６号；２００８年９月１５日に出願された「ＭＥＤＩＡ  ＤＥＶＩＣＥ  ＩＮＴＥＲＦＡＣＥ  ＳＹＳＴＥＭ  ＡＮＤ  ＭＥＴＨＯＤ  ＦＯＲ  ＶＥＨＩＣＬＥ  ＩＮＦＯＲＭＡＴＩＯＮ  ＳＹＳＴＥＭＳ（ビークル情報システムに関するメディアデバイスインターフェースシステム及び方法）」と題する米国特許出願第１２／２１０，６５２号；及び２００８年９月１５日に出願された「ＰＯＲＴＡＢＬＥ  ＵＳＥＲ  ＣＯＮＴＲＯＬ  ＤＥＶＩＣＥ  ＡＮＤ  ＭＥＴＨＯＤ  ＦＯＲ  ＶＥＨＩＣＬＥ  ＩＮＦＯＲＭＡＴＩＯＮ  ＳＹＳＴＥＭＳ（ビークル情報システムに関するユーザコントロールポータブルデバイス及び方法）」と題する米国特許出願第１２／２１０，６８９号の各明細書に示され、かつ説明されており、これらの米国特許出願は、本出願の譲受人に譲渡され、そしてこれらの米国特許出願のそれぞれの開示��容は、本明細書において参照されることにより、これらの米国特許出願の開示内容の全てが本明細書に組み込まれる。
【００５４】
ポータブルメディアデバイス２００に接続されると、タッチフィルムインターフェースシステム６００によってユーザは、コンピュータシステム３１０と、タッチフィルムインターフェースシステム６００の静電容量式センサシステム６１５のようなタッチフィルムシステム（または、タッチフィルム層）、及び／又はポータブルメディアデバイス２００のキーボードのようなデータ入力システム２６０を介して通信することができるので有利である。タッチフィルムインターフェースシステム６００は同様にして、コンピュータシステム３１０から供給される視聴コンテンツ２１０または他の情報を、ポータブルメディアデバイス２００に周辺機器ポート３６８を介して供給することができる。これにより、視聴コンテンツ２１０または他の情報のビデオ部分を、ポータブルメディアデバイス２００のビデオディスプレイシステム２４０を介して、ビデオ提示システム３６２（図９に示す）がビデオコンテンツを提示する方法で提示することができる。別の構成として、そして／または更に、視聴コンテンツ２１０または他の情報のオーディオ部分を、ポータブルメディアデバイス２００のオーディオシステム２５０を介して、オーディオ提示システム３６４（図９に示す）がオーディオコンテンツを提示する方法で提示することができる。
【００５５】
これらの記載の実施形態に対して、種々の変更、及び形態の置き換えを容易に行なうことができ、そしてこれらの実施形態の特定の例を一例として図面に示し、そして本明細書において詳細に説明している。しかしながら、これらの記載の実施形態は、開示される特定の形態または方法に限定されるのではなく、本開示は、全ての変更物、等価物、及び代替物を包含するものである。
【符号の説明】
【００５６】
１００情報システム
２００ポータブルメディアデバイス、パーソナルメディアデバイス
２１０視聴コンテンツ、投影コンテンツ
２１４ビデオ視聴コンテンツ
２１６視聴コントロールコンテンツ
２４０ビデオディスプレイシステム
２５０オーディオシステム
２６０データ入力システム
３１０コンピュータシステム
３６２ビデオ提示システム
３６４オーディオ提示システム
３６４Ａオーディオポート
３６８周辺機器ポート
３６８Ａパーソナルメモリデバイスコネクタ
３８２ユーザ座席
３８６背もたれ
３８９収納箇所
３９２頭上構造物
５１０シャーシ
５１２内部溝
５１２Ａ  リーダ溝領域
５１２Ｂ  ＰＣＢ溝領域
５１４コネクタ開口
５２０取り付けブラケット
５２２，５４４，５６２締結部材
５２４開口
５３０セキュアデジタル（ＳＤ）及び／又はセキュアデジタル高容量（ＳＤＨＣ）メモリカードリーダ
５３２通信ケーブルアセンブリ
５４０光パイプ
５５０電子プリント回路基板
５５２コネクタ領域
５６０可撓性プリント回路（ＦＰＣ）支持板
５７０インターフェースカバー
６００タッチフィルムインターフェースシステム
６０５フードトレイ
６０７トレイラッチアセンブリ
６１０タッチフィルムシステム、フェースプレート、タッチ操作面、タッチ操作フィルム面
６１２キーボード、キーボードインターフェース
６１２Ａ英語キーボード
６１２Ｂアラビア語キーボード
６１２Ａ英語キーボード
６１２Ｃキーボード
６１４キー、キー配列キーボード
６１５静電容量式センサシステム
６１６エッジコネクタ
６１８，６１８Ａ，６１８Ｂ，６１８Ｃ，６１８Ｄ言語コントロールボタン
６２０通信ポート
６４０インターフェースビデオシステム
６４５ビデオ提示領域
６５０インターフェースオーディオシステム
６６０入力システム
６６５入力領域
６８０ベース
６８２トランスミッタシステム
６８４内部電源
６９０蝶番
７００プロジェクションシステム
８００照明アセンブリ
８１０照明システム
８２０プロジェクター／トレイラッチアセンブリ
９００方法
９１０，９２０，９３０，９４０，９５０，９６０，９７０，９８０ステップ
【図１Ａ】
2013506593.tif 000003
【図１Ｂ】
2013506593.tif 000004
【図２】
2013506593.tif 000005
【図３】
2013506593.tif 000006
【図４】
2013506593.tif 000007
【図５Ａ】
2013506593.tif 000008
【図５Ｂ】
2013506593.tif 000009
【図５Ｃ】
2013506593.tif 000010
【図５Ｄ】
2013506593.tif 000011
【図６Ａ】
2013506593.tif 000012
【図６Ｂ】
2013506593.tif 000013
【図７】
2013506593.tif 000014
【図８Ａ】
2013506593.tif 000015
【図８Ｂ】
2013506593.tif 000016
【図８Ｃ】
2013506593.tif 000017
【図８Ｄ】
2013506593.tif 000018
【図８Ｅ】
2013506593.tif 000019
【図８Ｆ】
2013506593.tif 000020
【図８Ｇ】
2013506593.tif 000021
【図８Ｈ】
2013506593.tif 000022
【図９】
2013506593.tif 000023
【図１０Ａ】
2013506593.tif 000024
【図１０Ｂ】
2013506593.tif 000025
【図１１】
2013506593.tif 000026
【図１２Ａ】
2013506593.tif 000027
【図１２Ｂ】
2013506593.tif 000028
【図１２Ｃ】
2013506593.tif 000029
【国際調査報告】
2013506593.tif 000030
2013506593.tif 000031